(57)【要約】【課題】複数種類のモデルに対し、使用用途に合わせた種類のスキャンモジュールの取り付けを容易に行うことができる情報読取装置を提供する。【解決手段】本体と、記録された情報を光学的に読み取る情報読取部と、前記情報読取部を前記本体に対して取り付けるためのホルダと、前記ホルダの一方面側に前記情報読取部を固定するための第一固定部と、前記ホルダの他方面側に設けられ、前記情報読取部とは異なる情報読取部を固定するための第二固定部とを備え、前記ホルダは、前記一方面側に情報読取部を固定して前記本体に対して取り付けられる状態から、前記本体の長手方向に反転させた状態において前記他方面側に情報読取部を固定して前記本体に対して取り付け可能なようにされたことを特徴とする。【選択図】図７ａ
2017107504.tif 000002
【特許請求の範囲】
【請求項１】
本体と、
読取対象に記録された情報を光学的に読み取る情報読取部と、
前記情報読取部を前記本体に対して取り付けるホルダと、
前記ホルダの一方面側に第一の情報読取部を固定するための第一固定部と、
前記ホルダの他方面側に設けられ、前記第一の情報読取部とは外形が異なる第二の情報読取部を固定するための第二固定部と
を備え、
前記ホルダは、前記一方面側に前記第一の情報読取部を固定し、前記他方面側を前記本体に対向させて前記本体に対して取り付けられる一方、前記他方面側に前記第二の情報読取部を固定し、前記一方面側を前記本体に対向させて前記本体に対して取り付け可能であることを特徴とする情報読取装置。
【請求項２】
前記ホルダは、前記第一又は第二の情報読取部が取り付けられる部分を挟むように配置されたフランジ部を有し、
前記フランジ部には、前記ホルダを前記本体に対して取り付けるための固定部が設けられることを特徴とする請求項１に記載の情報読取装置。
【請求項３】
前記ホルダは、前記一方面に前記第一の情報読取部を位置決めするためのピン及びねじ穴形状を備えており、前記他方面に前記第二の情報読取部を位置決めするためのピン及びねじ穴形状を備えていることを特徴とする請求項１または２に記載の情報読取装置。
【発明の詳細な説明】
【技術分野】
【０００１】
本発明は、バーコードや二次元コードなどのシンボルを読み取ってデータの登録、照合が可能なハンディスキャナ、ハンディターミナル、業務用ＰＤＡ等の光学式情報読取装置に関する。
【背景技術】
【０００２】
今日、商品管理等の分野においてバーコード、二次元コード等様々なコードあるいは「シンボル」が利用されている。トレーサビリティ（ｔｒａｃｅａｂｉｌｉｔｙ）が普及した今日においては、工場や物流拠点等に、バーコードリーダ又はコードリーダと称される光学情報読取装置を設置して、製品や産品にシンボル等を印刷又は刻印し（コード印字）、このコード印字の情報を光学情報読取装置で読み取るシステムが多くの業界で採用されている。このようなシンボルを読み取り、データの登録や照合を行うため、ハンディターミナルが利用されている。ハンディターミナルは、液晶ディスプレイ部（ＬＣＤ）等の表示部分やキーを配置している。また、モバイル利用が可能なように充電可能な二次電池を内蔵している。
【０００３】
このようなハンディターミナルはスキャンモジュールと呼ばれる光学式読取部を内蔵している。読取実行キーを押下すると、光学式読取部からの走査が実行される。例えば特許文献１に開示されたハンディターミナルにおいて、ユーザーは、電池が内蔵された把持部分を握って、ＬＣＤを見ながら把持部分表面に設けられた複数のキーを操作し、さらに読取実行キーを押下することで、スキャンが実行される。
【０００４】
このようなハンディターミナルは、バーコードリーダモデルと二次元コードリーダモデルなどの複数種類のモデルが存在する製品があるが、モデルによってバーコードリーダモジュールやコードリーダモジュールを固定する部材が異なるため、その部材を別途用意する必要があった。
【先行技術文献】
【特許文献】
【０００５】
【特許文献１】特開２０１３−１５６７５２号公報
【発明の概要】
【発明が解決しようとする課題】
【０００６】
本発明は、従来のこのような問題点に鑑みてなされたものである。本発明の主な目的は複数種類のモデルに対し、使用用途に合わせた種類のスキャンモジュールの取り付けを容易に行うことができる情報読取装置を提供することにある。
【課題を解決するための手段】
【０００７】
上記の目的を達成するための手段として、本体と、
記録された情報を光学的に読み取る情報読取部と、
前記情報読取部を前記本体に対して取り付けるためのホルダと、
前記ホルダの一方面側に前記情報読取部を固定するための第一固定部と、
前記ホルダの他方面側に設けられ、前記情報読取部とは異なる情報読取部を固定するための第二固定部と
を備え、
前記ホルダは、前記一方面側に情報読取部を固定して前記本体に対して取り付けられる状態から、前記本体の長手方向に反転させた状態において前記他方面側に情報読取部を固定して前記本体に対して取り付け可能なようにされたことを特徴とする情報読取装置。
【発明の効果】
【０００８】
本発明によれば、複数種類の情報読取部を本体に取り付け可能なホルダを有するため、使用用途に合わせた種類の情報読取部の取り付けを容易に行うことができる。
【図面の簡単な説明】
【０００９】
【図１】本発明の一実施形態に係る光学式情報読取装置の正面図
【図２】本発明の一実施形態に係る光学式情報読取装置の背面図
【図３】本発明の一実施形態に係る光学式情報読取装置の背面斜視図
【図４】本発明の一実施形態に係る光学式情報読取装置の他の断面図
【図５】本発明の一実施形態に係る光学式情報読取装置１の内部構造を示す図
【図６】本発明の一実施形態に係る光学式情報読取装置の要部拡大図
【図７ａ】本発明の一実施形態に係る光学式情報読取装置の他の要部拡大図
【図７ｂ】本発明の一実施形態に係る光学式情報読取装置の他の要部拡大図
【図８ａ】本発明の一実施形態に係るスキャナユニット１６の拡大図
【図８ｂ】本発明の一実施形態に係るスキャナユニット１６の他の拡大図
【図９ａ】本発明の一実施形態に係る光学式情報読取装置の他の要部拡大図
【図９ｂ】本発明の一実施形態に係る光学式情報読取装置の断面図
【図１０ａ】本発明の一実施形態に係る光学式情報読取装置の他の要部拡大図
【図１０ｂ】本発明の一実施形態に係る光学式情報読取装置の断面図
【発明を実施するための形態】
【実施例】
【００１０】
以下、本発明の実施の形態を図面に基づいて説明する。図中、同じ符号は各図を通して共通である。但し、以下に示す実施の形態は、本発明の技術思想を具体化するための光学式情報読取装置を例示するものであって、本発明は光学式情報読取装置を以下のものに特定しない。また、本明細書は特許請求の範囲に示される部材を実施の形態の部材に特定するものでは決してない。また、本発明の一実施形態では、光学式情報読取装置の一例として、一次元バーコードリーダ付グリップ型ハンディターミナルを挙げる。
【００１１】
図１に示す光学式情報読取装置１の外形を構成する筐体１００は液晶表示部２や操作部３が配置される側の上ケース１０１とその背面側の下ケース１０２に２分割される。図１に示すように、光学式情報読取装置１の正面側には上方に液晶表示部２が設けられ、下方に操作部３が備えられている。この筐体１００は、液晶表示部２を設けた表示部４と、操作部３を設けユーザーが握る部分であるグリップ部５とから成る。
【００１２】
この液晶表示部２は、読取対象のシンボルを後述のスキャナ部１４で撮影した画像や、シンボルを復号化した情報、その他の設定情報といった各種の情報を表示するための部分であり、その液晶表示部２に表示された表示内容を参照しながら、正面に配置された操作部３を片手、または両手にて操作する。この液晶表示部２の上面には、タッチパネルが配置される。また、液晶表示部２の上方には、内蔵されたＬＥＤライトが発光した際に外観から視認可能なようにするＬＥＤライトの導光部材６が設けられている。
【００１３】
操作部３には、各種の操作を行うテンキー１０や電源ボタン７、各種ファンクションボタン群８、スキャンボタン９等が割り当てられる。電源ボタン７は、他のキーよりも上ケース１０１からの突出量が低くなっており、また、上ケース１０１の電源ボタン７の回りにはドーム状の凸が形成されていることによって電源ボタン７の誤押しを防止している。上ケース１０１内部側には、各種キーのついたキーラバー１８とキー基板１９が配置される。
【００１４】
図２は本発明の一実施形態における光学式情報読取装置１の背面図であり、液晶表示部２の裏面となる位置にはスキャナ部１４が設けられており、その表面には、透光性のスキャナ窓１５を有し、その内部に設けられたスキャナユニット１６から照射されるレーザー光が透過可能になっている。スキャナ部１４のグリップ部５側にはスキャナ部１４に隣接してスピーカー部１７を設けている。
【００１５】
また、下方のグリップ部５には、光学式情報読取装置１に駆動する電力を供給するためのバッテリ１１を有し、バッテリ１１を覆うように配置されるバッテリカバー１２を備えている。図３に示すようにバッテリ１１は、光学式情報読取装置１に着脱自在に装着している。また、バッテリ１１を収納するバッテリ収納部３１を備える。このバッテリ収納部３１は下ケース１０２の窪み状の開口部であり、バッテリカバー１２によって閉塞される。このため、バッテリカバー１２は着脱自在である。また、このバッテリカバー１２を閉塞した状態で保持するためのバッテリロックノブ１３が下ケース１０２に備えられている。
【００１６】
バッテリカバー１２を外し、バッテリ１１を取り外すと、図３のようにバッテリ収納部３１の一部が開口されており、そこからキー基板１９に配置されたカードコネクタ２０が見え、ユーザーの指にてアクセス可能となる。
【００１７】
図３は本発明の一実施形態における光学式情報読取装置１の斜視図であり、筐体１００左右にスキャンキー２１を備えている。スキャンキー２１は筐体１００のグリップ部５よりも筐体１００長手方向で上方に位置し、液晶表示部２の横に配置される。
【００１８】
筐体１００長手方向にスキャナ部１４の頂部１４ａの下方に位置する足部３２を設ける。これは、筐体１００が落下した際に頂部１４ａが地面に当たることを防ぎ、衝撃を緩和させるために設けられている。頂部１４ａで着地すると、衝撃をスキャナ部１４近傍の筐体１００の先端で受けることによるダメージが大きく、スキャナ窓枠２２が変形しスキャナ窓１５が外れるもしくは破壊される虞がある。光学式情報読取装置１はスキャナ機能がメインの機能として構成されていることから、スキャナ窓１５へのダメージが製品の質を大きく損なう、もしくは製品として機能しなくなることを意味し、スキャナ部１４の内部に設けられるスキャナユニット１６の保護は極めて重要となる。
【００１９】
図４は本発明の一実施形態における光学式情報読取装置１の断面図である。
【００２０】
筐体１００の上方には液晶表示部２やスキャナユニット１６を制御するための制御装置５０などが搭載された制御基板５１が配置されており、その制御基板５１にバッテリ１１から給電するためのフレキシブルプリント電源基板５２が制御基板５１の下方に配置されている。
【００２１】
電源基板５２は、その下方にコネクタ５３の端子５４を備え、端子５４がバッテリ１１と接触して給電される。
【００２２】
また、筐体１００を水平面に横にして置いた時に、スキャナ部１４の足部３２と下ケース１０２の下端部によって支持されることにより筐体１００は上ケース１０１がやや傾斜するようになっている。上ケース１０１が傾斜して置かれることから、液晶表示部２が筐体１００の下端側にいるユーザーの顔の方を向くようになり、載置時における視認性が良くなる利点がある。また、スキャナ部１４を凸形状として、上述したようにスキャナ部１４の足部３２と下ケース１０２の下端部によって支持される際に載置面との間に隙間が生じるようにすることによって、ユーザーの指が隙間に入ることで載置された筐体１００を持ち上げる際に持ち易くなる。
【００２３】
バッテリカバー１２を固定するためのロックノブ１３が下ケース１０２背面の長手方向中央よりやや上方に位置する。ロックノブ１３の頂部より筐体１００長手方向下方の表面へのカーブとバッテリカバーの凸部１２ａから表面に向かうカーブを一連の曲線で描く形状にすることにより、筐体１００を握った時にユーザーの人指し指またはその他の指を引掛けることが可能になる。これにより、スキャナ部１４で読み取りを行う際に、筐体１００を上方向に向けて上方に位置するバーコードも、また地面等の下方にあるバーコードをも負担なく、且つ安定して持つことが可能となる。
【００２４】
図５は、本発明の一実施形態における光学式情報読取装置１の内部構造を示す図である。
【００２５】
液晶表示部２は、その背面に配置されるクッション部材８５を介して表示フレーム７０に収容される。その背面側には制御基板５１が配置され、制御基板５１上に配置された支持部材７３によって液晶表示部２が支持されている。支持部材７３は液晶表示部２の背面に形成される金属面に当接しており、導電性部材（例えば金属）で形成された支持部材７３を介して、液晶表示部２と制御基板５１との導通を取っている。支持部材７３は複数設けられることが好ましく、本実施形態においては、３箇所に配置されている。また、液晶表示部２の表示ムラを抑えるべく、液晶表示部２の中心を避けて配置している。尚、クッション部材８５の支持部材７３に対応する位置には開口を設けてある。
【００２６】
図６は、本発明の一実施形態における光学式情報読取装置１の要部拡大図である。図６に示すように、制御基板５１が表示フレーム７０と下フレーム７４とに挟持される。表示フレーム７０の位置決めのピン７０ａに制御基板５１の穴が位置決めされており、ピン７０ａが下フレーム７４に形成されたボスに挿入されることによりフレームユニット７６が形成される。これによって、固定ビス等による固定手段を必要とすることなく表示フレーム７０と下フレーム７４に対する制御基板５１の位置の固定が可能となる。
【００２７】
また、制御基板５１は表示フレーム７０と下フレーム７４其々との間に表示フレーム用クッション材７２と下フレーム用クッション材７５を有し、落下等の衝撃から保護される。また、表示フレーム７０と下フレーム７４は制御基板５１を挟持した状態で、ねじ止めされる。このフレームユニット７６は上ケース１０１と下ケース１０２との間で挟持され、ビス等の固定手段は必要としない。
【００２８】
従来は、上ケース１０１および下ケース１０２と、制御基板５１が固定されるフレームがビス等で共締めされていたが、外力により内部部品まで衝撃が伝わりやすいことと、上下ケースの変形により内部のフレームも共に変形し挟持された制御基板５１がダメージを受けるという問題があった。本実施形態におけるフレームユニット７６においては、この問題を回避する構造となっている。
【００２９】
図７は、本発明の一実施形態における光学式情報読取装置１の要部拡大図である。下フレーム７４にはスキャナユニット１６がビス固定されている。スキャナユニット１６と下ケース１０２との間にはスキャナ用弾性部材７７が配置される。上記のようにフレームユニット７６には大きな衝撃は加わることはなく、下フレーム７４に固定されたスキャナユニット１６も衝撃から守られる。且つ、弾性部材７７を配置することで、より衝撃が緩和される。
【００３０】
スキャナユニット１６はスキャンモジュール２０１を搭載するモジュールホルダ２０３のモジュール固定部２０４で下フレーム７４に固定される。モジュールホルダ２０３にスキャンモジュール２０１がビス固定され、スキャンモジュール２０１から伸びる伝達部材２０２を介して読み取った信号が制御基板５１に伝達される。
【００３１】
図８は本発明の一実施形態に係る光学式情報読取装置１のスキャナユニット１６の拡大図である。スキャンモジュール２０１は、バーコードを走査するための読取光源としてレーザダイオードやガルバノミラーを備えている。また、二次元コードの読み取りには、ＣＣＤイメージ素子等の撮像素子と照明手段を備えたカメラモジュール２１１が利用される。本発明に係る光学式情報読取装置１は、スキャンモジュール２０１とカメラモジュール２１１のいずれかを選択することで、バーコードリーダとしても、二次元コードリーダとしても利用できる。このため、スキャンモジュール２０１とカメラモジュール２１１の両方が下フレーム７４に固定できるようにモジュールホルダ２０３を共通化している。
【００３２】
図８ａはスキャンモジュール２０１が搭載される場合のスキャナユニット１６を示し、図８ｂはカメラモジュール２１１が搭載される場合のスキャナユニット１６を示している。
【００３３】
スキャンモジュール２０１は図７ａに示すように、まずモジュールホルダ２０３に固定され、モジュールホルダ２０３が下フレーム７４に固定されることで装置に固定される。スキャンモジュール２０１と制御基板５１とは伝達部材２０２の一例としてのＦＦＣにて接続される。カメラモジュール２１１も同様にして図７ｂに示すように固定される。但し、モジュールホルダ２０３は図７ａの状態から１８０度回転させて裏側を使用している。
【００３４】
図８ａに示すように、スキャンモジュール２０１とモジュールホルダ２０３とはスキャンモジュール２０１の位置決め穴２０４ｂとモジュールホルダ２０３の位置決めピン２０４ａとが係合して位置決めされる。また、スキャンモジュール２０１のねじ穴２０５ｂにねじ２０５ｃがモジュールホルダ２０３の穴２０５ａを通って締結されることにより、スキャンモジュール２０１とモジュールホルダ２０３とが固定される。モジュールホルダ２０３におけるスキャンモジュール２０１に対向するスキャンモジュール対向面２０７の中央部には、貫通孔２０８が設けられている。搭載されるスキャンモジュール２０１を３辺から囲うように、ガイド壁２２１ａと側壁部２２１ｂとが設けられており、これらはスキャンモジュール２０１を搭載する際のガイドとなり、スキャンモジュール２０１の位置決めを容易にしている。
【００３５】
次に、図８ｂに示すように、カメラモジュール２１１とモジュールホルダ２０３とはカメラモジュール２１１の位置決め穴２１４ｂとモジュールホルダ２０３の位置決めピン２１４ａとが係合して位置決めされる。また、カメラモジュール２１１のねじ穴２１５ｂにねじ２１５ｃがモジュールホルダ２０３の穴２１５ａを通って締結されることにより、カメラモジュール２１１とモジュールホルダ２０３とが固定される。なお、スキャンモジュール２０１のねじ穴２０５ｂに対応するモジュールホルダ２０３の穴２０５ａが貫通して開口している。搭載されるカメラモジュール２１１を３辺から囲うように、ガイド壁２３１ａと側壁部２３１ｂとが設けられており、これらはカメラモジュール２１１を搭載する際のガイドとなり、カメラモジュール２１１の位置決めを容易にしている。
【００３６】
ここで、図８ａにおいて、カメラモジュール２１１のねじ穴２１５ｂに対応するモジュールホルダ２０３の穴２１５ａが、穴２０５ａと同様に貫通している。但し、モジュールホルダ２０３内におけるビスの挿通方向における嵌合長を稼ぐために、バーリング部２１５ｄを設けている。それに対し、スキャンモジュール２０１と当接するようにモジュールホルダ２０３には脚部２０６が設けられている。脚部２０６がスキャンモジュール２０１と当接することによってスキャンモジュール２０１の位置決めを行うことが出来る。そのため、脚部２０６はバーリング部２１５ｄよりもスキャンモジュール対向面２０７からの突出量が大きく、ねじ穴２１５ｂに対応して複数設けられるバーリング部２１５ｄのそれぞれを挟むような位置に複数設けられている。脚部２０６の一部はスキャンモジュール２０１を固定するための穴２０５ａを兼ねている。
【００３７】
以上説明するように、本実施形態に係るスキャン部１４は、１つの側面にスキャンモジュール２０１の位置決めピン２０４ａとねじ固定用の穴２０５ａが配置されているモジュールホルダ２０３に、相対するもう１つの側面にカメラモジュール２１１の位置決めピン２１４ａとねじ固定用の穴２１５ａを配置している。これによって、２つのモジュールのうち目的に応じたモジュールを選択して１つのモジュールホルダに対して取り付けることができる。
【００３８】
ここで、スキャンモジュール２０１の取り付けとカメラモジュール２１１の取り付けに関して、スキャンモジュール２０１の取り付け位置は、脚部２０６の突出量の分だけ、カメラモジュール２１１に対して高くなる。それに対し、例えば、スキャン距離の一例として２０ｃｍ程度の使用が想定される環境であれば、２０ｃｍ先におけるスキャンモジュール２０１の読取位置の中心位置がカメラモジュール２１１の読取領域の中心位置に一致するように、脚部２０６の高さを一律にせずにスキャンモジュール２０１が傾斜するようにしてもよい。
【００３９】
また、脚部２０６の突出量に応じて、スキャンモジュール２０１またはカメラモジュール２１１の一方の読取領域を他方の読取領域に一致させるように制御装置５０によって制御してもよい。
【００４０】
スキャンモジュール２０１を固定するための穴２０５ａとカメラモジュール２１１を固定するための穴２１５ａは、全く同じ位置であるか、位置がずれる場合には穴２０５ａと穴２１５ａの中心間距離がそれぞれ穴の直径以上であればよい。種々位置を変更してよい。
【００４１】
また、一方の読取モジュールを固定するねじ穴と同じ位置に他方の読取モジュールを位置決めするピンが位置しないように構成されていればよく、必ずしも本発明の実施形態にて説明した位置通りにする必要はない。
【００４２】
図９ａは、本発明の一実施形態に係る光学式情報読取装置１にスキャンモジュール２０１を搭載した場合の要部拡大図である。
【００４３】
モジュールホルダ２０３の側壁部２２１ｂの外側にはモジュール固定部２０４の一例としてのフランジ部２０９が形成されている。このフランジ部２０９に設けられたフランジ穴２０９ａに挿通されるねじ２０９ｂによって、モジュールホルダ２０３を下フレーム７４に固定している。
【００４４】
また、モジュールホルダ２０３を下フレーム７４に固定するために、下フレーム７４には図７ａに示すボス３０１ａ、３０１ｂが設けられている。さらにボス３０１ａ、３０１ｂよりも筐体１００の長手方向上方にそれぞれリブ３０２ａ、３０２ｂが設けられている。これにより例えばスキャナユニット１６を下フレーム７４に固定する場合、側壁部２３１ｂの外周面がリブ３０２ａとリブ３０２ｂとの間に嵌合されてスキャナユニット１６の筐体１００の幅方向に対する位置が決まるようにしている。スキャンモジュール２０１の取り付けとして、まずフランジ部２０９がボス３０１ａ、３０１ｂのそれぞれに当接するようにスキャナユニット１６が載置され、筐体１００の厚み方向に対する位置が決められる。次に、スキャナユニット１６を筐体１００の長手方向上方にスライドさせて、フランジ部２０９をボス３０１ａ、３０１ｂよりも高さのあるリブ３０２ａ、３０２ｂに突き当てることでスキャナユニット１６の筐体１００の長手方向に対する位置が決められる。その状態でボス３０１ａ、３０１ｂに対してフランジ穴２０９ａを挿通されるねじ２０９ｂで固定することによって、スキャナユニット１６が取り付けられる。
【００４５】
なお、リブ３０２ａ、３０２ｂの間隔は、スキャナユニット１６の両側の側壁部２３１ｂの外面間の距離と略同一にしてあり、スキャナユニット１６のガイドをするが、ボス３０１ａ、３０１ｂは、リブ３０２ａ、３０２ｂ間の距離よりも広くされていることが好ましい。これによって、スキャナユニット１６をボス３０１ａ、３０１ｂに載置する際には側壁部２３１ｂがボス３０１ａ、３０１ｂに当接しにくくなり、筐体１００の長手方句にスライドすることでリブ３０２ａ、３０２ｂ間に案内されるようにすることができ、作業性が向上する。より良くは、リブ３０２ａ、３０２ｂのボス３０１ａ、３０１ｂ側に傾斜などのガイド面を有するようにしてもよい。
【００４６】
図９ｂは、図９ａのＡ−Ａ断面における断面図である。説明のために、側壁部２２１ｂと側壁部２３１ｂの裏側に位置するフランジ部２０９を点線で図示している。この図から分かるように、スキャンモジュール２０１を搭載する場合に下フレーム７４にモジュールホルダ２０３を固定するためにフランジ部２０９に設けられたフランジ穴２０９ａは、カメラモジュール２１１を搭載する場合にガイドとなる側壁部２３１ｂに対応する位置に設けられている。つまり、側壁部２３１ｂは、カメラモジュール２１１搭載時のガイドとなると同時に、スキャンモジュール２０１を搭載したモジュールホルダ２０３を下フレーム７４に固定するためのフランジ穴２０９ａを設けるためのフランジ部２０９の基部となっている。
【００４７】
図１０ａは、本発明の一実施形態に係る光学式情報読取装置１にカメラモジュール２１１を搭載した場合の要部拡大図であり、モジュールホルダ２０３の下フレーム７４への固定は図９ａと同様である。ここで、フランジ穴２０９ａ、２１９ａは別の形状としてもよいが、モジュールの種類によらずモジュールホルダ２０３と下フレーム７４とを固定する部分であるため共通の構造とし、挿通されるねじ２０９ｂも共通にすることが好ましい。
【００４８】
図１０ｂは、図１０ａのＢ−Ｂ断面における断面図である。図９ｂの説明で記載したのと同様に、カメラモジュール２１１を搭載する場合に下フレーム７４にモジュールホルダ２０３を固定するためにフランジ部２０９に設けられたフランジ穴２１９ａは、スキャンモジュール２０１を搭載する場合にガイドとなる側壁部２２１ｂに対応する位置に設けられている。つまり、側壁部２２１ｂは、スキャンモジュール２０１搭載時のガイドとなると同時に、カメラモジュール２１１を搭載したモジュールホルダ２０３を下フレーム７４に固定するためのフランジ穴２１９ａを設けるためのフランジ部２０９の基部となっている。
【００４９】
以上まとめると、一方の読取モジュールを搭載する際にガイドとなる側壁部に設けられたフランジ部のフランジ穴によって、他方のモジュールを搭載する際にモジュールホルダを下フレームに対して固定するための基部を形成している。
【００５０】
またスキャナ部１４は、図９ｂの断面図などに示すように、筐体１００の長手方向に対して斜めに固定されている。このようにスキャナ部１４を傾斜させることで、ユーザーが光学式情報読取装置１を把持して読取作業を行う際、例えば二次元シンボルを読み取る際に、カメラモジュール２１１で撮像した画像をリアルタイムで液晶表示部２に表示させながら、撮像位置の確認作業を行いやすくしている。同様にバーコードのスキャンにおいても、照射位置の確認が容易となる。このような傾斜角度αは、例えば３０°とする。
【００５１】
以上、本発明の一実施形態に係る発明を説明したが、本発明はこの実施形態に記載の構造に限るものではなく、種々の変更が可能である。
【符号の説明】
【００５２】
１  光学式情報読取装置
２  液晶表示部
３  操作部
４  表示部
５  グリップ部
６  導光部材
７  電源ボタン
８  ファンクションボタン群
９  スキャンボタン
１１  バッテリ
１２  バッテリカバー
１３  バッテリロックノブ
１４  スキャナ部
１４ａ  頂部
１５  スキャナ窓
１６  スキャナユニット
１７  スピーカー部
１８  キーラバー
１９  キー基板
２０  カードコネクタ
２１  スキャンキー
２２  スキャナ窓枠
３１  バッテリ収納部
５０  制御装置
５１  制御基板
５２  電源基板
５３  コネクタ
７０  表示フレーム
８５  クッション部材
１００  筐体
１０１  上ケース
１０２  下ケース
２０１  スキャンモジュール
２０２  伝達部材
２０３  モジュールホルダ
２０４  モジュール固定部
２０４ａ  位置決め穴
２０４ｂ  位置決め穴
２０５ａ  穴
２０５ｂ  ねじ穴
２０６  脚部
２０７  スキャンモジュール対向面
２０８  貫通孔
２０９  フランジ部
２０９ａフランジ穴
２１１  カメラモジュール
２１４ａ  位置決めピン
２１４ｂ  位置決め穴
２１５ａ  穴
２１５ｂ  ねじ穴
２１５ｃ  ねじ
２１５ｄ  バーリング部
２１９ａ  フランジ穴
２１７  カメラモジュール対向面
２２１ａ  ガイド壁
２２１ｂ  側壁部
２３１ａ  ガイド壁
２３１ｂ  側壁部
【図１】
2017107504.tif 000003
【図２】
2017107504.tif 000004
【図３】
2017107504.tif 000005
【図４】
2017107504.tif 000006
【図５】
2017107504.tif 000007
【図６】
2017107504.tif 000008
【図７ａ】
2017107504.tif 000009
【図７ｂ】
2017107504.tif 000010
【図８ａ】
2017107504.tif 000011
【図８ｂ】
2017107504.tif 000012
【図９ａ】
2017107504.tif 000013
【図９ｂ】
2017107504.tif 000014
【図１０ａ】
2017107504.tif 000015
【図１０ｂ】
2017107504.tif 000016